(57)【特許請求の範囲】
【請求項１】
遊戯台を装着する島の開口枠に該遊戯台を着脱自在に装着する遊戯台用取付装置において、開口枠の上部に設置される固定枠を設け、該固定枠に連結され前後に移動するスライド枠が設けられ、
開口枠の内側に装着した遊戯台上端部の前面がわと後面がわとを挟着保持する挟着杆を備えた固定機構がスライド枠に装着されると共に、
該スライド枠を前後に移動せしめる勾配調整機構を固定枠に装着し、遊戯台を挟着固定した固定機構ごとスライド枠を前後に移動せしめる勾配調整機構と、
開口枠の下部に設置され、遊戯台の下端部を前後揺動自在に支持する揺動機構とで遊戯台の盤面の勾配を調整するように構成し、
前記固定機構は、前記スライド枠内に横長の駆動杆体が水平に設置され、該駆動杆体に固着されたナット状の固定材にボルト状の駆動軸を回動自在に連結し、該駆動軸の回転で駆動杆体が前後に水平移動するように設けられた駆動手段と、
駆動杆体に連動する揺動用クランクを介して水平位置から垂直位置の範囲内で揺動し遊戯台の上端部後面がわに圧着せしめる前記挟着杆を備えた揺動挟着手段と、
駆動杆体に連動する移動用クランクを介して上下に移動し遊戯台の上端部前面がわに係止せしめる前記挟着杆を備えた上下移動手段と、で構成され、
駆動体の駆動軸に連結された電動ドライバーの駆動力により、揺動挟着手段の挟着爪と上下移動手段の挟着爪とを同時に稼動させて前記遊戯台の上端部の前面がわと後面がわとを挟着保持するように構成したことを特徴とする遊戯台用取付装置。
【請求項２】
前記勾配調整機構は、前記固定枠に回動自在に軸止されたボルト状の移動軸体を備え、該移動軸体を前記スライド枠に固定されたナット状の固定環体に回動自在に連結し、該移動軸体の回転でスライド枠を前後に移動させることで、前記固定機構に固定された前記遊戯台の傾斜を調整するように構成した請求項１記載の遊戯台用取付装置。
【請求項３】
前記揺動機構は、前記開口枠の下部開口縁上に設置する固定台と、該固定台上に前後揺動自在に設置され前記遊戯台の下端部を支持する揺動台と、該揺動台上の遊戯台を揺動台に着脱自在に固定する固定手段とを備えた請求項１記載の遊戯台用取付装置。
【請求項４】
前記固定手段は、前記揺動台の後面がわから遊戯台の内部に挿入する支持基盤を備え、該支持基盤に、垂直から水平方向に揺動せしめる操作レバーと、該操作レバーに連動して前記揺動台の前面がわで水平から垂直方向に揺動して前記遊戯台の下端部を係止する係止爪とを設けると共に、操作レバーに連動する平行リンク体を介して遊戯台の後側面を押圧固定せしめる固定体を設けた請求項３記載の遊戯台用取付装置。
【発明の詳細な説明】
【技術分野】
【０００１】
本発明は、パチンコ台等の遊戯台を島に装着する遊戯台用取付装置に係り、特に、既存の島に装着している遊戯台の交換作業及び交換した遊戯台の勾配調整に好適な遊戯台用取付装置に関する。
【背景技術】
【０００２】
当発明者は、パチンコ台の装着作業や取付け後のパチンコ台の勾配の調整を容易ならしめるパチンコ台取付装置を先に発明している（特許文献１）。この発明では、パチンコ台の装着作業及び取り外し作業が極めて容易になり、しかも、取付後のパチンコ台の盤面の勾配を調整する際に、熟練した技術を要せずとも合理的で効果的な調整ができるようにしている。先のパチンコ台取付装置によると、島と称する台装着用の構築物の開口窓部に着脱自在に装着する特定寸法の台装着枠体を新たに構成したもので、この台装着枠体を島の開口窓部に装着し、次に、この台装着枠体の内部にパチンコ台等の遊技台を取り付け、台装着枠体の上端部に設けたクランプレバーの操作によって、遊技台と台装着枠体とが一体になるように圧着固定する装置である。
【先行技術文献】
【特許文献】
【０００３】
【特許文献１】特許第３２７５１６２号公報
【発明の概要】
【発明が解決しようとする課題】
【０００４】
特許文献１の先の発明により、パチンコ台の取り付け作業や取付け後のパチンコ台の勾配の微調整が極めて容易に行えるようになっている。ところが、先の発明は、島に設けられた開口窓部に着脱自在に装着する台装着枠体を用いてパチンコ台を取り付けるものである。そのため、先の発明が使用可能な島は、この台装着枠体を装着できる島に限定されている。すなわち、既存の島は、大工工事によって構築される木製の島が使用されているため、島の開口窓部は、個々の寸法にばらつきが生じており、パチンコ台を装着する作業も大工仕事で調整する必要がある。そのため、既存の木製の島に形成された開口窓部に特許文献１のような特定寸法の台装着枠体を装着することは困難である。そこで、先の発明は、特定寸法の台装着枠体を装着することが可能な金属製の島に装着するものであり、既存の木製の島に直接装着することはできなかった。
【０００５】
そこで、本発明は先の発明を改良すべく創出されたもので、台装着枠体を使用せず、既存の木製の島に直接装着することが可能になり、しかも、遊戯台の勾配調整が極めて容易に行える遊戯台用取付装置の提供を目的とするものである。
【課題を解決するための手段】
【０００６】
上述の目的を達成すべく本発明における第１の手段は、遊戯台Ｐを装着する島Ｑの開口枠Ｒに該遊戯台Ｐを着脱自在に装着する遊戯台用取付装置において、開口枠Ｒの上部に設置される固定枠１０を設け、該固定枠１０に連結され前後に移動するスライド枠２０が設けられ、開口枠Ｒの内側に装着した遊戯台Ｐの上端部Ｐ１の前面がわと後面がわとを挟着保持する挟着杆３５、３８を備えた固定機構３０がスライド枠２０に装着されると共に、該スライド枠２０を前後に移動せしめる勾配調整機構４０を固定枠１０に装着し、遊戯台Ｐを挟着固定した固定機構３０ごとスライド枠２０を前後に移動せしめる勾配調整機構４０と、開口枠Ｒの下部に設置され、遊戯台Ｐの下端部Ｐ２を前後揺動自在に支持する揺動機構５０とで遊戯台Ｐの盤面の勾配を調整するように構成し、前記固定機構３０は、前記スライド枠２０内に横長の駆動杆体３３が水平に設置され、該駆動杆体３３に固着されたナット状の固定材３２にボルト状の駆動軸３１を回動自在に連結し、該駆動軸３１の回転で駆動杆体２３が前後に水平移動するように設けられた駆動手段３０Ａと、駆動杆体３３に連動する揺動用クランク３４を介して水平位置から垂直位置の範囲内で揺動し遊戯台Ｐの上端部Ｐ１後側面に圧着せしめる前記挟着杆３５を備えた揺動挟着手段３０Ｂと、駆動杆体３３に連動する移動用クランク３７を介して上下に移動し遊戯台Ｐの上端部Ｐ１前面がわに係止せしめる前記挟着杆３８を備えた上下移動手段３０Ｃと、で構成され、駆動体３０Ａの駆動軸３１に連結された電動ドライバーＳの駆動力により、揺動挟着手段３０Ｂの挟着爪３５と上下移動手段３０Ｃの挟着爪３８とを同時に稼動させて前記遊戯台Ｐの上端部の前面がわと後側面とを挟着保持するように構成したものである。
【０００８】
第２の手段の前記勾配調整機構４０は、前記固定枠１０に回動自在に軸止されたボルト状の移動軸体４１を備え、該移動軸体４１を前記スライド枠２０に固定されたナット状の固定環体４２に回動自在に連結し、該移動軸体４１の回転でスライド枠２０を前後に移動させることで、前記固定機構３０に固定された前記遊戯台Ｐの傾斜を調整するように構成している。
【０００９】
第３の手段の前記揺動機構５０は、前記開口枠Ｒの下部開口縁Ｒ２上に設置する固定台５１と、該固定台５１上に前後揺動自在に設置され前記遊戯台Ｐの下端部Ｐ２を支持する揺動台５２と、該揺動台５２上の遊戯台Ｐを揺動台５２に着脱自在に固定する固定手段６０とを備えている。
【００１０】
第４の手段の前記固定手段６０は、前記揺動台５２の後面がわから遊戯台Ｐの内部に挿入する支持基盤６１を備え、該支持基盤６１に、垂直から水平方向に揺動せしめる操作レバー６２と、該操作レバー６２に連動して前記揺動台５２の前面がわで水平から垂直方向に揺動して前記遊戯台Ｐの下端部Ｐ２を係止する係止爪６３とを設けると共に、操作レバー６２に連動する平行リンク体６４を介して遊戯台Ｐの後側面を押圧固定せしめる固定体６５を設けたことにある。
【発明の効果】
【００１１】
請求項１に記載の構成により、開口枠Ｒの上部に設置される固定枠１０を設け、この固定枠１０に前後移動するスライド枠２０を連結する構成であるから、既存の島の開口窓部の寸法にばらつきが生じていても、開口枠Ｒの上部に固定枠１０を固定することで使用可能になる。この結果、従来のように開口枠Ｒに特定寸法の台装着枠体を装着する必要はなくなった。しかも、遊戯台Ｐを挟着固定した固定機構３０ごとスライド枠２０を前後に移動せしめる該勾配調整機構４０と、開口枠Ｒの下部開口縁Ｒ２上に設置し、遊戯台Ｐの下端部を前後揺動自在に支持する揺動機構５０とで遊戯台Ｐの盤面の勾配を調整するように構成したことにより、遊戯台の勾配調整が極めて容易に行えるものである。
【００１２】
また、駆動体３０Ａの駆動軸３１に連結された電動ドライバーＳの駆動力により、揺動挟着手段３０Ｂの挟着爪３５と上下移動手段３０Ｃの挟着爪３８とを同時に稼動させて遊戯台Ｐの上端部Ｐ１の前側面と後側面とを挟着保持するように構成しているので、遊戯台Ｐの固定作業に従来のような大工仕事は必要なくなり、電動ドライバーＳのみの使用により、誰でも容易に遊戯台Ｐを装着することが可能になった。
【００１３】
請求項２の如く、勾配調整機構４０の移動軸体４１の回転でスライド枠２０を前後に移動させることで、固定機構３０に固定された前記遊戯台Ｐの傾斜を調整するように構成しているので、遊戯台Ｐの傾斜角度を調整する作業が容易になり、しかも、傾斜角度を精密に調整することができる。
【００１４】
請求項３のように、前記開口枠Ｒの下部開口縁Ｒ２上に設置する固定台５１と、該固定台５１上に前後揺動自在に設置され前記遊戯台Ｐを支持する揺動台５２とを備えた揺動機構５０により既存の島Ｑの下部開口縁Ｒ２に、遊戯台Ｐを揺動自在に支持することができる。
【００１５】
請求項４のごとき固定手段６０により、垂直から水平方向に揺動せしめる操作レバー６２を一度操作するだけで、遊戯台Ｐの下端部を係止する係止爪６３と、遊戯台Ｐの後側面を押圧固定せしめる固定体６５とが連動するので、遊戯台Ｐを確実に固定することができる。
【図面の簡単な説明】
【００１６】
【図１】（イ）は本発明の装着状態を示す概略断面図、（ロ）は従来の島の装着状態を示す概略断面図である。
【図２】本発明の固定枠を開口枠の上部開口縁上に設置する状態を示す分解斜視図である。
【図３】本発明の固定枠とスライド枠との内部を示す要部平面図である。
【図４】本発明のスライド枠に固定された固定機構を示す概略側断面図である。
【図５】本発明の固定機構の駆動手段を示す概略斜視図である。
【図６】本発明の固定機構の揺動挟着手段を示し、（イ）は挟着状態、（ロ）は開放状態示す概略側面図である。
【図７】本発明の固定機構の上下移動手段を示し、（イ）は挟着状態、（ロ）は開放状態示す概略側面図である。
【図８】本発明の固定枠とスライド枠に固定された勾配調整機構を示す概略側断面図である。
【図９】本発明の揺動機構の動きを示す要部側断面図である。
【図１０】本発明の揺動機構を開口枠の下部開口縁上に設置する状態を示す分解斜視図である。
【図１１】本発明の固定手段の開放状態を示す要部平面図である。
【図１２】本発明の固定手段の固定状態を示す要部平面図である。
【発明を実施するための形態】
【００１７】
本発明によると、既存の木製の島に直接装着することが可能になり、しかも、遊戯台の勾配調整が極めて容易に行えるなど当初の目的を達成した。
【実施例】
【００１８】
本発明は、既存の島Ｑに遊戯台Ｐを取り付ける際に使用するもので、基本構成として、固定枠１０、スライド枠２０、固定機構３０、勾配調整機構４０、揺動機構５０を備えている。そして、従来の木製の島Ｑにおいて（図１（ロ）参照）、開口枠Ｒの上部に固定枠１０乃至勾配調整機構４０を装着し、下部に揺動機構５０を装着するものである（図１（イ）参照）。
【００１９】
固定枠１０は、開口枠Ｒの上部に設置するように設けたものである（図２参照）。図示例では開口枠Ｒの上部開口縁Ｒ１の上に沿って固定枠１０を設置しているが、開口枠Ｒの上部開口縁Ｒ１を取り外し、該上部開口縁Ｒ１の代わりに固定枠１０を設置することも可能である。一方、スライド枠２０は、該固定枠１０の内部に重合されると共に、固定された固定枠１０に対して前後にスライドするように連結されている（図４参照）。
【００２０】
図示例では、断面Ｌ字形状の固定枠１０を上部開口縁Ｒ１上にネジ止めする。一方、固定枠１０と相対向する断面Ｌ字形状のスライド枠２０を固定枠１０内に重ねると共に、固定枠１０とスライド枠２０とを伸縮自在な平行リンク状の固定装置１にて連結している（図８参照）。この固定装置１は、開閉自在な左右一対の固定杆体１Ａを、固定枠１０とスライド枠２０とにそれぞれ固定し、左右の固定杆体１Ａを連結杆１Ｂで連結している。この固定装置１により、固定枠１０に対するスライド枠２０の位置がスライド自在に調整可能になっている（図３参照）。
【００２１】
固定機構３０は、スライド枠２０に装着されている。すなわち、この固定機構３０は、開口枠Ｒの内側に装着した遊戯台Ｐ上端部Ｐ１の前面がわと後面がわとを挟着保持する挟着杆３５、３８を備えた機構であり、駆動手段３０Ａの駆動力に連動して、揺動挟着手段３０Ｂと上下移動手段３０Ｃとが同時に稼動する（図５参照）。
【００２２】
駆動手段３０Ａは、電動ドライバーＳ等の回転力にて揺動挟着手段３０Ｂと上下移動手段３０Ｃとを稼動させる（図５参照）。図示の駆動手段３０Ａは、駆動軸３１、固定材３２、駆動杆体３３にて構成されている（図４参照）。すなわち、駆動杆体３３は、スライド枠２０内に水平に設置された横長の部材である（図５参照）。この駆動杆体３３にナット状の固定材３２を固着し、更に、この固定材３２にボルト状の駆動軸３１を回動自在に連結している。駆動軸３１の端部はスライド枠２０に回動自在に軸止され（図３参照）、電動ドライバーＳ等の回転力で駆動軸３１を回転させると、駆動杆体２３が前後に水平移動するように設けている（図４参照）。
【００２３】
図示例では、動力の伝達方向を逆向きに伝達する２対のベベルギヤ２Ａを備えた方向変換装置２を使用している（図５参照）。この方向変換装置２を使用することで、遊戯台Ｐの表側の、どの位置からでも電動ドライバーＳを差し込んで駆動軸３１に接続し、駆動手段３０Ａを稼動させることができる。また、方向変換装置２を使用せず、遊戯台Ｐの表側から直接駆動軸３１を回転させることも可能である。
【００２４】
揺動挟着手段３０Ｂは、遊戯台Ｐの上端部Ｐ１後側面を押圧して挟着せしめる挟着杆３５を備えている（図６参照）。この挟着杆３５は、前後に水平移動する駆動杆体３３と共に前後に移動する揺動用クランク３４に連動するもので、水平位置から垂直位置の範囲で揺動するように構成している。図示の挟着杆３５は、駆動杆体３３が前進すると揺動用クランク３４の固定軸３４Ｂを始点として挟着杆３５が垂直状態になり、遊戯台Ｐの上端部Ｐ１後側面を圧着する（図６（イ）参照）。また、駆動杆体３３が後退すると挟着杆３５が水平方向に移動して遊戯台Ｐの上端部Ｐ１が開放されるものである（図６（ロ）参照）。更に、この挟着杆３５に微調整用のボルトを装着することで、遊戯台Ｐの上端部Ｐ１後側面を圧着する圧力を任意に調整することが可能になる（図２参照）。
【００２５】
また、挟着杆３５の先端部は、図６（イ）に示すごとく、遊戯台Ｐ上端部Ｐ１の後側面に係止する他、遊戯台Ｐの構成によっては、遊戯台Ｐ上端部Ｐ１を圧着したり、遊戯台Ｐ上端部Ｐ１に形成された隙間等に係止したりするなど、挟着杆３５の係止手段は任意に変更することができる。このように、揺動挟着手段３０Ｂは、図示例に限らず、遊戯台Ｐの上端部Ｐ１後側面を係止可能な手段を適宜選択することができる。
【００２６】
上下移動手段３０Ｃは、遊戯台Ｐの上端部Ｐ１前側面に係止せしめる挟着杆３８を備えている。この挟着杆３８は、駆動杆体３３に連動する移動用クランク３７を介して上下に移動する（図７参照）。図示例では、揺動用クランク３４から移動用クランク３７に連結杆３６を連結し、揺動用クランク３４の前後移動に伴ってこの連結杆３６が前後に移動する（図５参照）。このとき、揺動用クランク３４には、略鉤形状のスライド溝３４Ａが形成されており、このスライド溝３４Ａ内で連結杆３６が前進すると、揺動用クランク３４と共に、挟着杆３８が下降し、遊戯台Ｐの上端部Ｐ１の前側面に係止する（図７（イ）参照）。また、スライド溝３４Ａ内で連結杆３６が後退すると、揺動用クランク３４と共に、挟着杆３８が上降し、遊戯台Ｐの上端部Ｐ１の前側面から離脱する（図７（ロ）参照）。開口枠Ｒの上部開口縁Ｒ１に固定枠１０を設置した場合は、上部開口縁Ｒ１に挟着杆３８が上下するための貫通孔Ｒ３を開穿している（図７参照）。
【００２７】
また、この移動用クランク３７の構成を他のクランク機構又は歯車機構等に変更し、遊戯台Ｐ上端部Ｐ１の前面がわで揺動する挟着杆３８を備えることも可能である（図示せず）。例えば、挟着杆３８は、垂直状態と水平状態とに揺動することで挟着杆３８の先端部が上下に移動するように設けることが可能である。この場合、垂直時の挟着杆３８が遊戯台Ｐの上端部Ｐ１を係止し、この挟着杆３８が水平になると遊戯台Ｐが開放されるものである。また、挟着杆３８の先端部は、図７（イ）に示すごとく、遊戯台Ｐ上端部Ｐ１の前側面に係止する他、遊戯台Ｐの構成によっては、遊戯台Ｐ上端部Ｐ１を圧着したり、遊戯台Ｐ上端部Ｐ１に形成された隙間等に係止したりするなど、係止手段は任意に変更することができる。このように、上下移動手段３０Ｃも図示例に限らず、遊戯台Ｐの上端部Ｐ１前面がわを係止可能な従来の手段からを適宜選択することができる。
【００２８】
このような固定機構３０によると、電動ドライバーＳ等にて駆動体３０Ａの駆動軸３１を回転させることで、揺動挟着手段３０Ｂの挟着爪３５と上下移動手段３０Ｃの挟着爪３８とが同時に稼動し、遊戯台Ｐの上端部Ｐ１の前側面と後側面とを挟着保持するものである（図１（イ）参照）。
【００２９】
勾配調整機構４０は、遊戯台Ｐの上端部Ｐ１を挟着固定した固定機構３０ごと、スライド枠２０を前後に移動させる機構である（図８参照）。この勾配調整機構４０は、移動軸体４１と固定環体４２とを備えている。この移動軸体４１は、固定枠１０に回動自在に軸止されたボルト状の部材であり、一方、固定環体４２は、スライド枠２０に固定されたナット状の部材である。そして、移動軸体４１を固定環体４２に回動自在に連結し、移動軸体４１を回転させると、スライド枠２０が前後に移動すると共に、スライド枠２０に装着した固定機構３０も前後に移動する。この結果、遊戯台Ｐの盤面の勾配が調整されるように構成している。図示例では、電動ドライバーＳにて移動軸体４１を回転させるために、前記固定機構３０にて使用した方向変換装置２と同じ機構の方向変換装置３を使用している（図２参照）。また、管理者のみが勾配調整機構４０を使用できるようにするため、鍵付ドライバーのみが、移動軸体４１に連結可能となる構成を採用することができる。
【００３０】
揺動機構５０は、開口枠Ｒの下部開口縁Ｒ２上に設置する機構で、遊戯台Ｐの下端部Ｐ２を前後揺動自在に支持する機構である（図９参照）。この揺動機構５０は、開口枠Ｒの下部開口縁Ｒ２上に設置する固定台５１と、該固定台５１上に前後揺動自在に設置され前記遊戯台Ｐを支持する揺動台５２とによって、遊戯台Ｐの下端部Ｐ２を前後揺動自在に支持するものである。
【００３１】
図示の固定台５１は、開口枠Ｒの下部開口縁Ｒ２上に固定する皿状の部材であり、更に、図示の揺動台５２は、固定台５１を施蓋する蓋状のプレートにて形成されている。そして、固定台５１と揺動台５２との間に揺動支持体５３を配設し、揺動台５２の上に固定した遊戯台Ｐの下端部が前後に揺動するように構成している（図９参照）。
【００３２】
更に、揺動機構５０には、揺動台５２上の遊戯台Ｐを揺動台５２に着脱自在に固定する固定手段６０を備えている（図１０参照）。この固定手段６０は、揺動台５２の前面がわで水平から垂直方向に揺動して前記遊戯台Ｐの下端部Ｐ２を係止する係止爪６３と、遊戯台Ｐの後側面を押圧固定せしめる固定体６５とで構成されている。
【００３３】
これら係止爪６３と固定体６５とは、垂直から水平方向に揺動せしめる操作レバー６２に連動するように構成している。図示例の操作レバー６２は、遊戯台Ｐの後面内部に挿入する支持基盤６１の後がわに装着している（図１０参照）。この操作レバー６２から揺動台５２の内部を貫通して遊戯台Ｐの前面がわに至る揺動杆６２Ａを設け、該揺動杆６２Ａに係止爪６３を連結している（図１１参照）。また、この揺動杆６２Ａには、クランク軸６２Ｂが設けられており、このクランク軸６２Ｂに連動するクランクバー６２Ｃが、もう一つの係止爪６３にリンクし、これら左右一対の係止爪６３が同時に揺動する（図１１参照）。
【００３４】
一方、固定体６５は、操作レバー６２に連動する平行リンク体６４の両端部に設けられたクランプ状を成している（図１２参照）。そして、垂直状態の操作レバー６２を水平に倒すと、平行リンク体６４に連動する固定体６５が作動して遊戯台Ｐの下端部後側面を押圧するものである。図示例では、固定体６５に微調整用のボルトを装着しており、このボルトの長さを調整することで、遊戯台Ｐの下端部後側面を押圧する圧力を任意に調整することが可能になる。
【００３５】
平行リンク体６４は支持基盤６１の内部に装着されている。支持基盤６１は、遊戯台Ｐの後面内部に挿入する部材で、遊戯台Ｐの下端部Ｐ２より上の空間部に、この支持基盤６１を後方から挿入することで、遊戯台Ｐの固定を確実にするものである（図１参照）。また、操作レバー６２と平行リンク体６４との間に別のクランク体６６を介してあり、操作レバー６２を水平に倒したときに、このクランク体６６の作用によって、操作レバー６２がはずれないように構成している（図１２参照）。尚、揺動機構５０も図示例に限られるものではなく、遊戯台Ｐの下端部を支持して前後に揺動する構成であれば良いものである。
【００３６】
本発明の使用方法は次のとおりである。開口枠Ｒの下部開口縁Ｒ２上に設置された揺動機構５０の揺動台５２に遊戯台Ｐの下端部Ｐ２を載置し、上端部Ｐ１を上部開口縁Ｒ１の内側に挿入する（図１（イ）参照）。次に、操作レバー６２の操作で係止爪６３と固定体６５とが遊戯台Ｐの下端部Ｐ２を固定する。更に、遊戯台Ｐの上端部Ｐ１側では、電動ドライバーＳを駆動軸３１に接続してこれを回転させることで、上下移動手段２０Ｂと揺動挟着手段２０Ｃとが稼動して前後の挟着杆３５、３８が、遊戯台Ｐの上端部Ｐ１を挟着固定するものである。そして、開口枠Ｒ内に固定した遊戯台Ｐの勾配を調整する場合は、移動軸体４１に電動ドライバーＳを接続し、該移動軸体４１を回転させてスライド枠２０を前後に移動させることで、遊戯台Ｐの盤面の角度を調整するものである。
【産業上の利用可能性】
【００３７】
本発明は図示例に限定されるものではなく、固定枠１０やスライド枠２０の形状及び、固定機構３０や勾配調整機構４０、揺動機構５０の各構成などは、本発明の要旨を変更しない範囲で自由に設計変更することができる。
【符号の説明】
【００３８】
Ｐ  遊戯台
Ｐ１  上端部
Ｐ２  下端部
Ｑ  島
Ｒ  開口枠
Ｒ１  上部開口縁
Ｒ２  下部開口縁
Ｓ  電動ドライバー
１  固定装置
１Ａ  固定杆体
１Ｂ  連結杆
２  支持腕
２Ａ  ベベルギヤ
３  方向変換装置
３Ａ  ベベルギヤ
４  鍵付ドライバー
１０  固定枠
２０  スライド枠
３０  固定機構
３０Ａ  駆動手段
３０Ｂ  揺動挟着手段
３０Ｃ  上下移動手段
３１  駆動軸
３２  固定材
３３  駆動杆体
３４  揺動用クランク
３５  挟着杆
３６  連結杆
３７  上下用クランク
３８  挟着杆
４０  勾配調整機構
４１  移動軸体
４２  固定環体
５０  揺動機構
５１  固定台
５２  揺動台
５３  揺動支持体
６０  固定手段
６１  支持基盤
６２  操作レバー
６３  係止爪
６４  平行リンク体
６５  固定体
６６  クランク体
【要約】
【課題】既存の木製の島に直接装着することが可能になり、しかも、遊戯台の勾配調整が極めて容易に行える遊戯台用取付装置を提供する。
【解決手段】開口枠Ｒの上部開口縁Ｒ１上に設置される固定枠１０を設ける。該固定枠１０の内部に重合されると共に、固定された固定枠１０に対して前後にスライド自在に連結されたスライド枠２０を設ける。開口枠Ｒの内側に装着した遊戯台Ｐ上端部の前側面と後側面とを挟着保持する挟着杆３５、３８を有する固定機構３０をスライド枠２０に装着する。該スライド枠２０を前後に移動せしめる勾配調整機構４０を固定枠１０に装着する。勾配調整機構４０と揺動機構５０とで遊戯台Ｐの盤面の勾配を調整する。
【選択図】  図１【図１】
0004822147.tif 000002
【図２】
0004822147.tif 000003
【図３】
0004822147.tif 000004
【図４】
0004822147.tif 000005
【図５】
0004822147.tif 000006
【図６】
0004822147.tif 000007
【図７】
0004822147.tif 000008
【図８】
0004822147.tif 000009
【図９】
0004822147.tif 000010
【図１０】
0004822147.tif 000011
【図１１】
0004822147.tif 000012
【図１２】
0004822147.tif 000013